(57)【要約】セルラ通信装置を販売するときに顧客構成オプションを提案するシステムおよび方法を提供する。セルラ通信装置の販売を提案することは、インターネットまたは店内キオスクを介して行うことができる。顧客は、購入時に少なくとも１つのソフトウェア構成可能機能を構成することができ、顧客の指定に従って事前構成されたソフトウェアと共に電話機が配送される。あるいは、顧客は、電話機の所望の機能について１つまたは複数の内部取外し不能選択を指示し、電話機が顧客の構成に従って組み立てられる。
2009545916.tif 000002
【特許請求の範囲】
【請求項１】
セルラ通信装置を販売する方法であって、
少なくとも１つのソフトウェア構成可能機能を含むセルラ通信装置の販売を提案するステップであって、前記ソフトウェア構成可能機能が連絡先リストを含むステップと、
前記少なくとも１つのソフトウェア構成可能機能に関する複数の選択可能オプションを提案するステップと、
前記選択可能オプションのうちの少なくとも１つの選択を受信するステップと、
前記少なくとも１つのソフトウェア構成可能機能を前記選択に従って構成させるステップと
を含む方法。
【請求項２】
前記少なくとも１つのソフトウェア構成可能機能が壁紙をさらに含む請求項１に記載の方法。
【請求項３】
前記少なくとも１つのソフトウェア構成可能機能が呼出し音をさらに含む請求項１に記載の方法。
【請求項４】
前記少なくとも１つのソフトウェア構成可能機能が音楽リポジトリをさらに含む請求項１に記載の方法。
【請求項５】
前記セルラ通信装置が携帯電話機を含む請求項１に記載の方法。
【請求項６】
セルラ通信装置の販売を提案する前記ステップと、複数の選択可能オプションを提案する前記ステップと、選択を受信する前記ステップとが、ウェブサイトを介して実施される請求項１に記載の方法。
【請求項７】
セルラ通信装置の販売を提案する前記ステップと、複数の選択可能オプションを提案する前記ステップと、選択を受信する前記ステップとが、店内キオスクを介して実施される請求項１に記載の方法。
【請求項８】
前記少なくとも１つのソフトウェア構成可能機能に関するチュートリアルを提供するステップをさらに含む請求項１に記載の方法。
【請求項９】
少なくとも１つのソフトウェア構成可能機能に対する価格を示すステップをさらに含む請求項１に記載の方法。
【請求項１０】
前記顧客を前記選択と関連付けるデータを格納するステップをさらに含む請求項１に記載の方法。
【請求項１１】
前記少なくとも１つのソフトウェア構成可能機能をさらに構成する機構を提供するステップをさらに含む請求項１に記載の方法。
【請求項１２】
セルラ通信装置を販売する方法であって、
セルラ通信装置の販売を提案するステップと、
前記セルラ通信装置上のソフトウェアに関する顧客構成データを受信するステップであって、前記顧客構成データが連絡先リストを含むステップと、
前記ソフトウェアを前記顧客構成データに従って構成させるステップと
を含む方法。
【請求項１３】
前記顧客構成データが壁紙を含む請求項１２に記載の方法。
【請求項１４】
前記顧客構成データが呼出し音を含む請求項１２に記載の方法。
【請求項１５】
前記顧客構成データが音楽リポジトリを含む請求項１２に記載の方法。
【請求項１６】
前記セルラ通信装置が携帯電話機を含む請求項１２に記載の方法。
【請求項１７】
セルラ通信装置の販売を提案する前記ステップと、顧客構成データを受信する前記ステップとが、ウェブサイトを介して実施される請求項１２に記載の方法。
【請求項１８】
前記顧客を前記顧客構成データと関連付けるデータを格納するステップをさらに含む請求項１２に記載の方法。
【請求項１９】
データと、前記データを構成する少なくとも１つの機構とを顧客に提供するステップをさらに含む請求項１２に記載の方法。
【請求項２０】
セルラ通信装置を販売する方法であって、
セルラ通信装置の販売を提案するステップと、
前記セルラ通信装置に関する複数の選択可能内部取外し不能機能を提案するステップであって、前記複数の選択可能内部取外し不能機能がカメラを含み、前記カメラについて複数のカメラ解像度を選択することができるステップと、
前記内部取外し不能機能のうちの少なくとも１つの選択を受信するステップと、
前記少なくとも１つの内部取外し不能機能を前記セルラ通信装置上に導入させるステップと、
前記セルラ通信装置を顧客に配送させるステップと
を含む方法。
【請求項２１】
前記少なくとも１つの内部取外し不能機能がディスプレイを含む請求項２０に記載の方法。
【請求項２２】
前記少なくとも１つの内部取外し不能機能がデジタル音楽プレーヤを含む請求項２０に記載の方法。
【請求項２３】
前記少なくとも１つの内部取外し不能機能がスピーカ・フォンを含む請求項２０に記載の方法。
【請求項２４】
前記少なくとも１つの内部取外し不能機能が通信プロトコルのサポートを含む請求項２０に記載の方法。
【請求項２５】
前記少なくとも１つの内部取外し不能機能がソフトウェア機能を含む請求項２０に記載の方法。
【請求項２６】
前記セルラ通信装置が携帯電話機を含む請求項２０に記載の方法。
【請求項２７】
セルラ通信装置の販売を提案する前記ステップと、複数の選択可能な機能を提案する前記ステップと、選択を受信する前記ステップとが、ウェブサイトを介して実施される請求項２０に記載の方法。
【請求項２８】
前記顧客を前記選択と関連付けるデータを格納するステップをさらに含む請求項２０に記載の方法。
【発明の詳細な説明】
【技術分野】
【０００１】
本願は、参照によりその開示全体が組み込まれる２００６年８月１日出願の米国特許出願第１１／４９８，２０９号に対する優先権を主張するものである。
【背景技術】
【０００２】
現在のところ、顧客は、携帯電話機の機能の限られた選択肢を有するだけである。例えば、顧客は、色、フェースプレート、保険のオプションなどの外部機能、および長寿命電池を購入するかどうかなどのいくつかの取外し可能機能を選ぶことができる。しかし、大多数の携帯電話機機能は、選択する携帯電話機モデルによって決定される。したがって、例えば、顧客がＭＯＴＯＲＯＬＡ（登録商標）Ｖ１９５を購入することを望む場合、顧客は、以下の機能を得ることになる。
・Ｉｎｔｅｇｒａｔｅｄ  Ｃｌａｓｓ  １  Ｂｌｕｅｔｏｏｔｈワイヤレス技術−ｅＸｔｅｎｄｅｄ  Ｒａｎｇｅワイヤレス技術
・１０２０ｍＡｈ電池を用いた、優れた通話時間および待機時間
・ＧＳＭデュアル・クァッドバンド、８５０／９００／１８００／１９００、ＧＰＲＳ  Ｃｌａｓｓ  １０機能
・わずか１００．５０グラムの軽い重量
・大型内部１２８×１６０ＣＳＴＮディスプレイ
・高品質な金属的かつソフトタッチな仕上げ
・スポーツ、ニュース、エンターテイメントなどへのゼロクリックアクセスのためのＳＣＲＥＥＮ３技術
・ＭＭＳ、ＳＭＳ、ＥＭＳ５．０、およびＷｉｒｅｌｅｓｓ  Ｖｉｌｌａｇｅ  Ｉｎｓｔａｎｔ  Ｍｅｓｓｅｎｇｅｒを含む様々なメッセージ交換オプション
・ｍｉｎｉ−ＵＳＢを介する電話機の充電、ＰＣとの同期
・セルラを介するプッシュ・ツー・トーク（ＰｏＣ）
・約１０ＭＢのユーザ・メモリ空間
・２４チャネルの２２ｋＨｚポリフォニック・スピーカ
・ＷＡＰ２．０（ＷＳＰ／ＨＴＴＰ１．１、ＷＴＣＰ／ＩＰ、ｘＨＴＭＬ  Ｍｏｂｉｌｅ  Ｐｒｏｆｉｌｅ、ＷＣＳＳ、Ｃｏｏｋｉｅ、ＷＴＬＳクラス２、ＴＬＳ  １．０／ＳＳＬ３．０）
【０００３】
顧客は、上記のリストから機能を選択解除するためのどんな機会も有さない。例えば、顧客は、大型内部１２８×１６０ＣＳＴＮディスプレイの機能が顧客にとって特に重要ではない場合であっても、それに関連するコストを支払う以外の選択肢を有さない。同様に、顧客が望んでいるが、電話機の機能セットには含まれない機能、例えば３メガ・ピクセル・デジタル・カメラがある場合、顧客は、そのような追加の機能を含めるためのどんな機会も有さない。顧客は、所望の機能セットに最も近い別の電話機モデルを見つけなければならない。
【０００４】
さらに、現在のところ、顧客は、電話機のソフトウェア構成可能機能の別の構成を要求する機会を有さない。ソフトウェア構成は、電話機を購入した後に顧客によって行われる。例えば、顧客が音楽、ゲーム、写真、ビデオ、連絡先情報などを電話機上にロードすることを望む場合、顧客は、適切なハードウェアおよび／またはソフトウェアを使用して、自分自身でそれを行わなければならない。そのようなハードウェアおよびソフトウェアは、電話機と共に出荷されることがあり、または出荷されないことがある。
【先行技術文献】
【特許文献】
【０００５】
米国特許出願第１１／４９８，２０９号
【発明の概要】
【発明が解決しようとする課題】
【０００６】
購入時の携帯電話機のハードウェア構成およびソフトウェア構成の追加の自由を顧客に提供することが当業界で求められている。
【課題を解決するための手段】
【０００７】
上記で識別される当技術分野の欠点を考慮して、本発明は、購入時の携帯電話機の顧客構成のためのシステムおよび方法を提供する。
【０００８】
第１実施形態では、セルラ通信装置を販売する方法であって、少なくとも１つのソフトウェア構成可能機能を含むセルラ通信装置の販売を提案するステップであって、前記ソフトウェア構成可能機能が連絡先リストを含むステップと、前記少なくとも１つのソフトウェア構成可能機能に関する複数の選択可能オプションを提案するステップと、前記選択可能オプションのうちの少なくとも１つの選択を受信するステップと、前記少なくとも１つのソフトウェア構成可能機能を前記選択に従って構成させるステップとを含む方法が提供される。
【０００９】
別の態様では、少なくとも１つのソフトウェア構成可能機能は壁紙をさらに含む。
別の態様では、少なくとも１つのソフトウェア構成可能機能は呼出し音をさらに含む。
別の態様では、少なくとも１つのソフトウェア構成可能機能はゲームをさらに含む。
別の態様では、少なくとも１つのソフトウェア構成可能機能は音楽リポジトリをさらに含む。
別の態様では、セルラ通信装置は携帯電話機を含む。
別の態様では、セルラ通信装置の販売を提案するステップと、複数の選択可能オプションを提案するステップと、選択を受信するステップとが、ウェブサイトを介して実施される。
別の態様では、セルラ通信装置の販売を提案するステップと、複数の選択可能オプションを提案するステップと、選択を受信するステップとが、店内キオスクを介して実施される。
別の態様では、この方法は、前記少なくとも１つのソフトウェア構成可能機能に関するチュートリアルを提供するステップをさらに含む。
別の態様では、この方法は、少なくとも１つのソフトウェア構成可能機能に対する価格を示すステップをさらに含む。
別の態様では、この方法は、前記顧客を前記選択と関連付けるデータを格納するステップをさらに含む。
別の態様では、この方法は、前記少なくとも１つのソフトウェア構成可能機能をさらに構成する機構を提供するステップをさらに含む。
【００１０】
次の実施形態では、セルラ通信装置を販売する方法であって、セルラ通信装置の販売を提案するステップと、前記セルラ通信装置上のソフトウェアに関する顧客構成データを受信するステップであって、前記顧客構成データが連絡先リストを含むステップと、前記ソフトウェアを前記顧客構成データに従って構成させるステップとを含む方法が提供される。
【００１１】
別の態様では、顧客構成データは壁紙を含む。
別の態様では、顧客構成データは呼出し音を含む。
別の態様では、顧客構成データは音楽リポジトリを含む。
別の態様では、セルラ通信装置は携帯電話機を含む。
別の態様では、セルラ通信装置の販売を提案するステップと、顧客構成データを受信するステップとが、ウェブサイトを介して実施される。
別の態様では、この方法は、前記顧客を前記顧客構成データと関連付けるデータを格納するステップをさらに含む。
別の態様では、この方法は、データと、前記データを構成する少なくとも１つの機構とを顧客に提供するステップをさらに含む。
【００１２】
次の実施形態では、セルラ通信装置を販売する方法であって、セルラ通信装置の販売を提案するステップと、前記セルラ通信装置に関する複数の選択可能内部取外し不能機能を提案するステップであって、前記複数の選択可能内部取外し不能機能がカメラを含み、前記カメラについて複数のカメラ解像度を選択することができるステップと、前記内部取外し不能機能のうちの少なくとも１つの選択を受信するステップと、前記少なくとも１つの内部取外し不能機能を前記セルラ通信装置上に導入させるステップと、前記セルラ通信装置を顧客に配送させるステップとを含む方法が提供される。
【００１３】
別の態様では、少なくとも１つの内部取外し不能機能はディスプレイを含む。
別の態様では、少なくとも１つの内部取外し不能機能はデジタル音楽プレーヤを含む。
別の態様では、少なくとも１つの内部取外し不能機能はスピーカ・フォンを含む。
別の態様では、少なくとも１つの内部取外し不能機能は通信プロトコルのサポートを含む。
別の態様では、少なくとも１つの内部取外し不能機能はソフトウェア機能を含む。
別の態様では、セルラ通信装置は携帯電話機を含む。
別の態様では、セルラ通信装置の販売を提案するステップと、複数の選択可能な機能を提案するステップと、選択を受信するステップとが、ウェブサイトを介して実施される。
別の態様では、この方法は、前記顧客を前記選択と関連付けるデータを格納するステップをさらに含む。
【００１４】
本発明の他の利点および特徴が以下で説明される。
本発明によるモバイル装置仕様の顧客カスタマイズのためのシステムおよび方法が、添付の図面を参照しながらさらに説明される。
【図面の簡単な説明】
【００１５】
【図１】セルラ通信装置の販売を提案する例示的ディスプレイを示す図である。
【図２】連絡先リストに関する複数の選択可能オプションと、さらに、顧客が連絡先リスト顧客構成データをアップロードするためにファイルを特定することのできるボックスとを提供することを示す図である。
【図３】呼出し音に関する複数の選択可能オプションと、さらに、顧客が呼出し音顧客構成データをアップロードするためにファイルを特定することのできるボックスとを提供することを示す図である。
【図４】壁紙に関する複数の選択可能オプションと、さらに、顧客が壁紙顧客構成データをアップロードするためにファイルを特定することのできるボックスとを提供することを示す図である。
【図５】顧客が任意の顧客構成データをアップロードするためにファイルを特定することのできるボックスを示す図である。
【図６】音楽リポジトリに関する複数の選択可能オプションと、さらに、顧客が歌顧客構成データをアップロードするために歌を特定することのできるボックスとを提供することを示す図である。
【図７】ゲームに関する複数の選択可能オプションと、さらに、顧客がゲーム顧客構成データをアップロードするためにゲームを特定することのできるボックスとを提供することを示す図である。
【図８】顧客が顧客構成データをさらに構成することのできるディスプレイを示す図である。
【図９】顧客事前構成装置に関する複数の選択可能オプションと、さらに、顧客が売主に対してアップロードするために顧客事前構成を特定することのできるボックスとを提供することを示す図である。
【図１０】顧客構成装置を閲覧し、外部機能および取外し可能機能を選択するための機会を提供することを示す図である。
【図１１】インターネットなどのネットワークを使用して本発明を実施する売主サーバおよびクライアント・コンピュータを備えるシステムを示す図である。
【図１２】顧客が入力装置を介して対話するときに本発明を実施することのできる店内キオスクを示す図である。
【発明を実施するための形態】
【００１６】
本発明の様々な実施形態の完全な理解を与えるために、以下の説明および図で、いくつかの特定の詳細が述べられる。しかし、本発明の実施形態を不必要に不明瞭にすることを避けるために、コンピューティング技術およびソフトウェア技術に関連するいくつかの周知の詳細は以下の開示では述べられていない。さらに、以下で説明される詳細のうちの１つまたは複数を用いずに本発明の他の実施形態を実施できることを関連技術分野の技術者は理解されよう。最後に、以下の開示ではステップおよびシーケンスを参照して様々な方法が説明されるが、そのような説明は、本発明の実施形態の明白な実装を与えるためのものであり、ステップおよびステップのシーケンスが、本発明を実施するのに必要なものであると解釈されるべきではない。
【００１７】
第１実施形態では、セルラ通信装置を販売する方法が提供される。セルラ通信装置の一例は、携帯電話機（セル・フォン）である。その用語は消費者に広く理解されているからである。セル・フォンは最近、米国内および世界中で著しく急増した。人々の多様な必要に適合するように、様々なセル・フォンも広がった。セル・フォンは、クラシックなキャンディ・バー形状、クラムシェル、スライダ、携帯情報端末（ＰＤＡ）などの多数の形状因子でよい。セル・フォンは、重量が軽く、サイズが小型である（通常はポケット内で運ぶのに十分なだけ小型かつ軽量である）ために非常にポータブルである軽量セルラ通信装置である。セルラ通信装置は、セル・フォン、ならびにセル・ネットワークを介してワイヤレス通信が可能な他の電子装置を含む。
【００１８】
販売とは、金銭または他の報酬の支払いの代わりに商品を交換することを提案することを指す。販売は、現金、クレジット・カードまたはデビット・カードに対しての請求、電子決済などに関するものでよい。好ましい実施形態では、インターネット上でウェブ・ページを介して販売用の装置を提案すること、またはセル・フォン店内でアクセス可能な店内キオスクを介して装置を提案することなどにより、販売をコンピュータ支援することができる。そのような実施形態では、ユーザは、ディスプレイ上で販売に関するイメージ、テキスト、およびビデオを閲覧し、マウス、キーボード、タッチパッドなどの入力装置を介してディスプレイと対話することができる。取引を完了するために、ユーザは、クレジット・カードまたは他の支払情報を入力することができ、または店内キオスクにいる場合は、ユーザは、店内の店員によって取引を完了することができることを示すことができる。
【００１９】
図１に、セルラ通信装置の販売を提案する例示的ディスプレイが提示されている。図１では、いくつかのチェック・ボックスが設けられ、それによってユーザは、電話機デザインと、製造業者と、選択した電話機に含めるべき任意の数の機能とを選択することができる。図示されるように、価格と共に機能を列挙することができる。後続の図と共に論じられる別のオプションの選択を可能にする別のディスプレイにユーザを導く、「次へ」ボタンを設けることができる。最後のディスプレイは、クレジット・カードまたは他の支払情報を要求することができ、取引の完了を可能にする。
【００２０】
図１は、セル・フォンに関して選択することのできる多種多様な機能を示す。ユーザは、機能の隣にあるチェックボックスを選択して、その機能をユーザのセル・フォンに含めることを望むことを示すことができる。いくつかの機能は、選択された電話機デザインで非両立である可能性があるので、ユーザは、「必須」チェック・ボックスを選択することにより、機能のうちのどれが必須であるかをさらに示すことができる。非両立である場合、必須ではない機能をユーザの選択から除去することができる。ユーザの必須機能を組み合わせることが不可能であるである場合、どの機能が非両立であるかを示し、機能選択の削除または修正を要求する情報画面にユーザを導くことができる。あるいは、他の機能と非両立である機能を選択すると、非両立な機能を選択する機会を自動的に使用不能にすることもできる。
【００２１】
さらに、ある機能の購入が別の機能を含めることを必要とするように、いくつかの機能をリンクすることができる。必要に応じて、ユーザに知らせるように情報を提示することができる。例えば、一実施形態では、電話機デザインおよび製造業者を選択すると、自動的に、その電話機に関する必須の機能を選択させ、その電話機と非両立である任意の機能を選択する機会を使用不能にすることができる。
【００２２】
図１の右側の列に表示される選択可能な機能は一般に、ソフトウェア構成可能機能または内部取外し不能機能である。「内部」という用語は、装置の外部ケーシング内部を意味する。取外し不能とは、機能がエンド・ユーザによって取り外されることが意図されないことを意味し、したがって容易な取外しおよび取替えを促進する意図では構成されない。内部取外し不能機能は、ハードウェア機能、ソフトウェア機能、ならびにハードウェア機能とソフトウェア機能をどちらも含む機能を含むことができる。ある電話機デザインでは内部かつ取外し不能である可能性のある機能が、別の電話機デザインでは外部かつ／または取外し可能である可能性があることに留意されたい。したがって、機能を常に内部または常に取外し不能と直ちには特定することはできず、機能が問題の特定の電話機に関して内部かつ取外し不能であるかどうかに基づいて、分析を進めなければならない。
【００２３】
多くの電話機デザインでしばしば内部かつ取外し不能である多くの例示的機能が、図１に列挙されている。したがって、ある実施形態では、高解像度ディスプレイ、低解像度ディスプレイ、音楽プレーヤ、スピーカ・フォン、サウンド・レコーダ、ユニバーサル・シリアル・バス（ＵＳＢ）ポート、Ｂｌｕｅｔｏｏｔｈ（登録商標）のサポート、８０２．１１のサポート、符号分割多元接続（ＣＤＭＡ）のサポート、Ｔｈｉｒｄ  Ｇｅｎｅｒａｔｉｏｎ  Ｗｉｒｅｌｅｓｓ  ３Ｇのサポート、アラーム・クロック、カレンダ、ストップ・ウォッチ、外部ディスプレイ、内部ディスプレイ、Ｅメールのサポート、ショート・メッセージ・サービス（ＳＭＳ）のサポート、拡張メモリ、加入者識別モジュール（ＳＩＭ）ポート、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）のサポート、外部発光ダイオード（ＬＥＤ）、取外し可能アンテナ、１、２、または３メガピクセルなどの指定の解像度とすることのできるデジタル・カメラおよびビデオ・カメラを選択することができる。
【００２４】
顧客が顧客のセルラ通信装置に関する所望の機能に到達すると、顧客は、購入取引に進むことができる。選択された機能を有するセルラ通信装置を顧客用に構築し、顧客に配送することができ、それによって、セルラ通信装置購入者の入手可能な機能の組合せにおいて、従来にない柔軟性が可能となる。
【００２５】
図１の例示的実施形態は、所望の機能を購入するかどうかを決定する際に顧客を支援するのに使用することのできる、「選択した機能について知る」ボタンをさらに含む。１つまたは複数の機能を選択し、次いでこのボタンを押下することにより、選択された機能についての教育的情報にユーザを導くことができる。
【００２６】
「ゲーム１」や「ゲーム２」などのゲームはより一般には、セルラ通信装置から削除するゲームに関する機構が存在することができるので、取外し可能である。ゲームは、より一般には、ソフトウェア構成可能機能の一例である。大部分のセルラ通信装置は現在、少なくとも１つのソフトウェア構成可能機能を含む。ソフトウェア構成可能機能は、装置上にインストールされたソフトウェアを介して装置のユーザによって構成することのできるセルラ通信装置の一態様である。通常、必須ではないが、そのような構成は、少なくとも部分的には、ディスプレイ上に提示されたオプションを、装置上のボタンを押下することなどによってナビゲートすることによって行われる。
【００２７】
ソフトウェア構成可能機能の例は、例えばユーザの連絡先リスト、呼出し音、壁紙、音楽リポジトリ、およびゲームを含む。図２〜７は、販売時にソフトウェア構成可能機能の顧客構成を可能にするのに使用することのできる例示的ディスプレイを示す。
【００２８】
連絡先リストは、連絡先名、電話番号、および／またはＥメール、住所、メモなどの他のデータを追加または修正することによって構成される。図２は、連絡先リストに関する複数の選択可能オプションを提案することを示す。ユーザは、例えば、米国大統領、ミシェル判事、ニューマン判事、マイヤー判事、ルーリー判事などの所望の連絡先の隣にあるボックスを選択することができる。対応する連絡先情報が、顧客に配送する前にセルラ通信装置上にロードされる。公に入手可能な情報に基づいて、または以前に特定の顧客に関するファイル上にあった連絡先情報に基づいて、または現在の顧客を自身の連絡先情報に含めた他の顧客に関する照会に基づいて、選択可能な連絡先情報を利用可能にすることができる。連絡先情報が選択され、例えば顧客が「次へ」ボタンを押すと、選択を売主のコンピュータに送信することができ、売主のコンピュータで受信することができ、それによって売主のコンピュータは、前記選択可能オプションのうちの少なくとも１つの選択を受信する。次いで、売主は、前記少なくとも１つのソフトウェア構成可能機能を前記選択に従って構成させる。
【００２９】
あるいは、顧客は、顧客自身の連絡先情報をアップロードすることもできる。一実施形態では、顧客は、連絡先ファイル、例えば顧客のローカル・コンピュータまたはディスク上に格納されたファイルへのパスを、「あなた自身の連絡先をアップロード」の下のボックス内に入力することができ、または「ブラウズ」ボタンを押して、所望のファイルまでナビゲートすることができ、それによって、ファイル・パスをボックス内に自動的に入力させる。「次へ」を選択することにより、ユーザは、連絡先情報を売主のコンピュータに送信させることができ、売主のコンピュータは連絡先を受信して、配送の前にそれを顧客の電話機にロードする。連絡先情報は、セルラ通信装置上のソフトウェアに関する顧客構成データの一例である。セルラ通信装置上に連絡先をロードすることは、ソフトウェアを前記顧客構成データに従って構成させる一例である。
【００３０】
図３は、ソフトウェア構成可能機能が呼出し音であり、複数の選択可能オプションが呼出し音に関する様々な音であり、顧客がアップロードすることのできる顧客構成データが呼出し音データ、例えば顧客のローカル・コンピュータ上の呼出し音ファイルであることを除いて、図２と同様のディスプレイを示す。呼出し音は、装置が別の装置から連絡を受けたときに装置によって作成される音である。呼出し音は、例えば新しい呼出し音をダウンロードし、所望の呼出し音を設定し、呼出し音に関する音量レベルを設定することによってソフトウェア構成可能とすることができる。図３に提示されるような装置を販売するシステムを使用して、ユーザに関する所望の呼出し音設定を事前構成することができる。
【００３１】
図４は、ソフトウェア構成可能機能が壁紙であり、複数の選択可能オプションが壁紙用の様々なイメージであり、顧客がアップロードすることのできる顧客構成データが壁紙イメージ・データ、例えば顧客のローカル・コンピュータ上の壁紙ファイルであることを除いて、図２と同様のディスプレイを示す。壁紙は、ディスプレイ背景に表示されるイメージである。壁紙は、例えば所望の壁紙イメージをダウンロードあるいは取得し、イメージを壁紙として設定することによって構成可能である。図４に提示されるような装置を販売するシステムを使用して、ユーザに関する所望の壁紙設定を事前構成することができる。
【００３２】
図５は、ソフトウェア構成可能機能がファイルを格納することのできる装置メモリであり、この実施形態では複数の選択可能オプションが提示されず、顧客がアップロードすることのできる顧客構成データが顧客の選択の内容を担持する顧客ファイルであることを除いて、図２と同様のディスプレイを示す。例えば、顧客がディスクまたは顧客のローカル・コンピュータからアップロードすることを望む任意のファイルである。図５に提示されるような装置を販売するシステムを使用して、購入時にユーザに関する所望のファイル設定を装置上に配置することができる。
【００３３】
図６は、ソフトウェア構成可能機能が音楽リポジトリであり、複数の選択可能オプションが様々な歌であり、顧客がアップロードすることのできる顧客構成データが歌ファイル、例えば顧客のローカル・コンピュータ、店内キオスクに挿入されたディスクなどからの歌であることを除いて、図２と同様のディスプレイを示す。音楽リポジトリは、デジタル歌ファイルを記録することのできるデジタル・メモリを含む。多くのセル・フォンは現在、歌、またはビデオ・ファイルおよび／または他のデジタル・ファイルのために使用することのできるストレージを有する。したがって、音楽リポジトリは、図５を参照しながらより一般的に議論されるユーザ・ファイルのサブセットである。新しい歌を装置上にロードし、ファイルを分類し、ファイルを命名するなどによって音楽リポジトリを構成することができる。図６に提示されるような装置を販売するシステムを使用して、ユーザに関する所望の音楽リポジトリ設定を事前構成することができる。
【００３４】
図７は、ソフトウェア構成可能機能がゲームであり、複数の選択可能オプションが様々なゲームであり、顧客がアップロードすることのできる顧客構成データがゲーム・ファイルであることを除いて、図２と同様のディスプレイを示す。ゲームは一般に、表示されるゲーム・コンテンツとのユーザ対話を含むビデオ・ゲームである。新しいゲームをロードし、ゲーム設定を構成し、プレーヤ情報をセットアップし、プレーヤの特権および／または制限をロードし、所望の制御モードを構成するなどによってゲームを構成することができる。図７に提示されるような装置を販売するシステムを使用して、ユーザに関する所望のゲーム設定を事前構成することができる。
【００３５】
図８は、ソフトウェア構成可能機能の別の構成を可能にするディスプレイを示す。ここでは、ユーザはイメージ編集プログラムと対話して、壁紙として使用されるイメージを編集する。「ペンシル」、「ペイント・ブラシ」、「テキスト」、「フィルタ」などの壁紙をさらに構成するためのツールが提供される。他のソフトウェア構成可能機能の別の構成は、例えば、ゲーム、歌、ファイルなどに関する追加の設定を選択することを含むことができる。この別の構成が売主コンピュータに送信され、売主コンピュータで受信され、それに応じて装置が構成される。
【００３６】
図９は、複数の選択可能装置構成を顧客に提示することのできる本発明の別の態様を示す。本発明が促進する装置機能選択の自由の向上と共に、顧客が他の人々の顧客構成済み装置を見て、機能セットを気に入り、顧客自身に関して同じ機能セットを有することを望むことになることが企図される。したがって、図９の複数の選択可能オプションは、顧客の兄弟「テッド」や姉妹「ロレッタ」、マドンナやブリトニー・スピアーズなどの有名人などの他の顧客によって使用された構成を提供する。「最安価」などの他の事前構成済みオプションも利用可能である。装置は、選択された以前に構成された装置と同一の装置を顧客に関して構築することができる。以前の顧客の連絡先リストまたは個人ファイルなどのいくつかのソフトウェア構成可能機能を、新しい顧客の装置から除外することができる。最後に、代替実施形態では、顧客は、どんな機能を顧客が望むかを記述するファイルなどの構成ファイルをアップロードすることができる。
【００３７】
図１０は、顧客が構成した装置を顧客が閲覧し、さらにフェースプレート、装置の色、拡張電池などの外部機能または取外し可能機能を選択することを可能にするために提示することのできるディスプレイを示す。「正面」、「背面」、「側面」などのボタンは、様々な角度から装置のビューを示すことができる。さらに、顧客が装置の内部を閲覧し、装置ソフトウェアを示すデモ・ソフトウェアを顧客によって構成される通りにナビゲートすることなどを可能にすることができる。
【００３８】
図１１および図１２は、本発明の態様に関連する、企図される技法およびプロセスを実装することのできるシステムを示す。図１１は、インターネットなどのネットワーク１１１０に接続された売主サーバ・コンピュータ１１００と、やはりネットワーク１１１０に接続されたクライアント・コンピュータ１１２０とを与える。図１〜１０に提示されるようなディスプレイを売主サーバ１１００上に維持することができ、クライアント・コンピュータ１１２０によってネットワーク１１１０を介してアクセスすることができる。
【００３９】
図１１の実施形態では、売主サーバ上で、またはインターネット・サービス・プロバイダ（ＩＳＰ）によって維持されるが売主によって制御されるサーバ上でウェブ・ページまたは他のそのようなディスプレイを維持することにより、セルラ通信装置の販売を提案し、複数の選択可能オプションを提案することを実施することができる。顧客が選択を指示し、またはファイルをアップロードするとき、前記選択可能オプションのうちの少なくとも１つの選択を受信すること、および／または顧客構成データを受信することが実施され、したがって選択またはファイルに関する情報が、売主サーバ１１００またはその他の方法により、売主によって受信される。その後で、売主が顧客の選択に従って装置を構築するとき、前記少なくとも１つのソフトウェア構成可能機能を前記選択に従って構成させることが実施される。売主は、売主自身で装置を構築することができ、あるいは装置製造業者または組立業者に命令を送信することができ、それによって顧客の構成に従って第３者に装置を構成させる。
【００４０】
図１２の実施形態では、ここではキーボードとして表示されるが、マウス、タッチ・スクリーン、または他の入力装置も含むことができる入力装置１２１０に、店内キオスクを接続することができる。ここでは、キオスク１２００ディスプレイ上に図１〜１０の画面などの画面を表示することにより、セルラ通信装置の販売を提案すること、および複数の選択可能オプションを提案することを実施することができる。顧客が入力装置１２１０を使用して選択を示し、あるいはインターネットまたは顧客搬送メモリ装置などの場所からファイルをロードするとき、前記選択可能オプションのうちの少なくとも１つの選択を受信すること、および／または顧客構成データを受信することが実施され、選択または構成データに関する情報が、キオスク１２００または他の売主電子機器で受信される。その後で、売主が顧客の選択に従って装置を構築するとき、前記少なくとも１つのソフトウェア構成可能機能を前記選択に従って構成させることが実施される。この場合も、売主は、売主自身で装置を構築することができ、あるいは装置製造業者または組立業者に命令を送信することができ、それによって顧客の構成に従って第３者に装置を構成させる。
【００４１】
本明細書で明示的に述べられた特定の実装に加えて、本明細書で開示される仕様を考慮することから、他の態様および実装が当業者には明らかであろう。添付の特許請求の範囲の真の範囲および精神と共に、仕様および図示される実装は単に例示的なものとみなされるものとする。
【図１】
2009545916.tif 000003
【図２】
2009545916.tif 000004
【図３】
2009545916.tif 000005
【図４】
2009545916.tif 000006
【図５】
2009545916.tif 000007
【図６】
2009545916.tif 000008
【図７】
2009545916.tif 000009
【図８】
2009545916.tif 000010
【図９】
2009545916.tif 000011
【図１０】
2009545916.tif 000012
【図１１】
2009545916.tif 000013
【図１２】
2009545916.tif 000014
【国際調査報告】
2009545916.tif 000015